(57)【要約】【課題】単体もしくは少数で優れた装飾性もしくはメッセージ性を有する装飾ブロックを提供する。【解決手段】この装飾ブロック８０はブロック５０単体もしくは少数のブロック５０で印刷物５２を形成する。このため、単体もしくは少数で優れた装飾性もしくはメッセージ性を有する。これにより、装飾ブロック８０単体もしくは少数でユーザの意図するメッセージ等を伝達することができる。また、季節感を感じさせるワンポイントのインテリアとして使用することができる。また、ゼロスランプのコンクリートで形成するため、個人ユーザが抵抗なく購入でき、且つレイアウト変更の際にも簡単に移動することができる。さらに、この装飾ブロック８０はＵＶインクジェット印刷機を用いるため、容易に印刷物５２の変更を行うことができる。また、オーダーメイドの印刷物５２にも対応することができる。【選択図】図１
0003209575.tif 000002
【実用新案登録請求の範囲】
【請求項１】
ゼロスランプのコンクリートで製造したブロックの表面にインクジェット印刷により印刷物を形成したことを特徴とする装飾ブロック。
【請求項２】
ブロックが、レンガブロック、インターロッキングブロック、平板ブロック、花壇の境界となるガーデンブロック、組積用コンクリートブロック、であることを特徴とする請求項１記載の装飾ブロック。
【請求項３】
印刷物が、メッセージや注意事項、順路を示唆する絵柄、写真、図記号、文字であることを特徴とする請求項１または請求項２に記載の装飾ブロック。
【請求項４】
印刷物が、季節イベントを示唆する絵柄、写真、図記号、文字であることを特徴とする請求項１または請求項２に記載の装飾ブロック。
【請求項５】
印刷物が、風景、人物もしくはペットの写真であることを特徴とする請求項１または請求項２に記載の装飾ブロック。
【考案の詳細な説明】
【技術分野】
【０００１】
本考案は、表面に絵柄、写真、図記号、文字等を印刷した装飾ブロックに関するものである。
【背景技術】
【０００２】
従来から、内部に鉄筋やモルタルを充填する縦穴を備えたゼロスランプの組積用コンクリートブロックが塀等の構築に広く用いられている。このような、ゼロスランプの組積用コンクリートブロックに関し、下記［特許文献１］には外表面に模様を印刷した化粧コンクリートブロックに関する発明が開示されている。
【先行技術文献】
【特許文献】
【０００３】
【特許文献１】特開２０１２−１４０２６３号公報
【考案の概要】
【考案が解決しようとする課題】
【０００４】
しかしながら、ゼロスランプのコンクリート製品には上記の組積用コンクリートブロックのみならず、レンガブロックやインターロッキングブロック、平板ブロック、花壇用のガーデンブロック等、様々な形状のものが商品化されている。そして、近年のＤＩＹへの関心の高まりから、これらブロックを個人が購入し、固定しない状態で屋外の飛び石や花壇、プランター台等に使用する場合がある。また、屋内で棚の土台等に使用する場合がある。このような使用形態では、これらブロックを単体もしくは少数で用いる場合が多い。しかしながら［特許文献１］に記載の発明は、基本的に複数の組積用コンクリートブロックを平面状に積載し壁を形成した時に優れた模様を表すものであり、ブロック単体で使用することを意図したものではない。
【０００５】
また、近年のガーデニングブームから、コンクリート等の石材で形成された屋外用インテリアも数多く商品化されている。
【０００６】
本考案は上記事情に鑑みてなされたものであり、単体もしくは少数で優れた装飾性もしくはメッセージ性を有する装飾ブロックを提供することを目的とする。
【課題を解決するための手段】
【０００７】
本考案は、
（１）ゼロスランプのコンクリートで製造したブロック５０の表面にインクジェット印刷により印刷物５２を形成したことを特徴とする装飾ブロック８０を提供することにより、上記課題を解決する。
（２）ブロック５０が、レンガブロック、インターロッキングブロック、平板ブロック、花壇の境界となるガーデンブロック、組積用コンクリートブロック、であることを特徴とする上記（１）記載の装飾ブロック８０を提供することにより、上記課題を解決する。
（３）印刷物５２が、メッセージや注意事項、順路を示唆する絵柄、写真、図記号、文字であることを特徴とする上記（１）または（２）に記載の装飾ブロック８０を提供することにより、上記課題を解決する。
（４）印刷物５２が、季節イベントを示唆する絵柄、写真、図記号、文字であることを特徴とする上記（１）または（２）に記載の装飾ブロック８０を提供することにより、上記課題を解決する。
（５）印刷物５２が、風景、人物もしくはペットの写真であることを特徴とする上記（１）または（２）に記載の装飾ブロック８０を提供することにより、上記課題を解決する。
【考案の効果】
【０００８】
本考案に係る装飾ブロックはブロック単体もしくは少数のブロックで印刷物を形成する。このため、単体もしくは少数で優れた装飾性もしくはメッセージ性を有することができる。また、本考案に係る装飾ブロックはゼロスランプのコンクリートで形成するため、個人ユーザが抵抗なく購入でき、且つレイアウト変更の際にも簡単に移動することができる。さらに、本考案に係る装飾ブロックはＵＶインクジェット印刷機を用いるため、画像データをそのまま印刷物として形成することができる。これにより、極めて容易に印刷物の変更を行うことができる。
【図面の簡単な説明】
【０００９】
【図１】本考案に係る装飾ブロックをレンガブロック、平板ブロックに適用した例を示す図である。
【図２】本考案に係る装飾ブロックをインターロッキングブロック、ガーデンブロックに適用した例を示す図である。
【図３】本考案に係る装飾ブロックを組積用コンクリートブロックに適用した例、及び季節イベントを示唆する印刷物の例を示す図である。
【考案を実施するための形態】
【００１０】
本考案に係る装飾ブロックの実施の形態を図面に基づいて説明する。先ず、本考案に係る装飾ブロック８０は、ゼロスランプのコンクリートで製造したブロック５０の表面にインクジェット印刷により印刷物５２を形成したものである。尚、ブロック５０の形状には特に限定は無く、例えば、図１（ａ）に示す直方体や立方体のレンガブロックや、図１（ｂ）に示す上面視正方形、上面視長方形の平板ブロック、図２（ａ）に示す各種のインターロッキングブロック、図２（ｂ）に示す花壇の境界として使用するガーデンブロック等が挙げられる。また、図３（ａ）に示す内部に縦穴を備えた組積用コンクリートブロックや笠木ブロック等の組積用コンクリートブロックに関連するブロック等が挙げられる。尚、これらのブロック５０の寸法に関しても特に限定は無いが、汎用性の観点から一般的な寸法規格のものとすることが好ましく、レンガブロックであればＬ：２００ｍｍ×Ｈ：１００ｍｍ×Ｗ：６０ｍｍとし、平板ブロックであればＬ：２００ｍｍ×Ｗ：２００ｍｍ、Ｌ：２００ｍｍ×Ｗ：１００ｍｍ等とすることが好ましい。また、組積用コンクリートブロックであれば、Ｌ：３９０ｍｍ×Ｈ：１９０ｍｍ×Ｗ：１００ｍｍ等とすることが好ましい。また、インターロッキングブロックでは、従来のインターロッキングブロックとの係合が可能な寸法、形状とすることが好ましい。尚、本考案の装飾ブロック８０はモルタル等で固定して使用しても良いが、固定せずにその季節や意図に応じて、適宜、目的の場所に置いて使用することが好ましい。
【００１１】
また、装飾ブロック８０の印刷物５２に関しては、絵、柄、模様、イラスト、写真、図、記号、文字等、特に限定は無い。ただし、装飾ブロック８０単体で装飾性もしくはメッセージ性を有するものが好ましい。また、複数の装飾ブロック８０により一つの絵柄、写真、図記号、文字等を構成するようにしても良い。
【００１２】
次に、装飾ブロック８０の印刷物５２の例を説明する。先ず、印刷物５２の第１の例としてはメッセージや注意事項、順路を示唆する絵柄、写真、図記号、文字等が挙げられる。ここで、図１（ａ）は印刷物５２として歓迎の意を示す「ＷＥＬＣＯＭＥ」の文字をレンガブロックに印刷した例を示すものである。また、図１（ｂ）は印刷物５２として「止まれ」の意を示す文字及び図記号を平板ブロックに印刷した例を示すものである。また、図２（ａ）は印刷物５２として順路を示す矢印の図記号をインターロッキングブロックに印刷した例を示すものである。また、図２（ｂ）は印刷物５２として「ＧＡＲＤＥＮ」の文字をガーデンブロックに印刷した例を示すものである。また、図３（ａ）は印刷物５２として「禁煙」を示す図記号及び文字を組積用コンクリートブロックに印刷した例を示すものである。尚、メッセージや注意事項を示す印刷物５２の例としては、この他に「立入禁止」、「駐車禁止」、「自転車駐車場」、「ゴミを捨てないで下さい」、「ＯＰＥＮ」、「営業中」、「Ｃｌｏｓｅ」、「準備中」、「おススメ商品」等が挙げられるが、印刷物５２は上記の例に限定されず如何なるものとしても良い。また、ユーザの希望する文字、図記号等をオーダーメイドで印刷するようにしても良い。そして、これらの装飾ブロック８０を適宜、目的の場所に置くことで、他者に対してユーザの意図するメッセージ等を伝達することができる。
【００１３】
また、印刷物５２の第２の例としては季節イベントを示唆する絵柄、写真、図記号、文字等が挙げられる。ここで、図３（ｂ）は印刷物５２として「門松」の絵柄を印刷した例を示すものである。そして、この「門松」の印刷物５２を有する装飾ブロック８０をエントランスや玄関前に置くことで簡易的な門松とすることができる。尚、その他の季節イベントを示唆する印刷物５２の例としては、ひな祭りに関連した印刷物、子供の日に関連した印刷物、花見に関連した印刷物、月見に関連した印刷物、紅葉に関連した印刷物、ハロウィンに関連した印刷物、クリスマスに関連した印刷物、その他が挙げられる。無論、印刷物５２は上記の季節イベントの例に限定されず、如何なるものとしても良い。そして、これらの装飾ブロック８０を適宜、エントランスやアプローチ、玄関、庭、室内等に置くことで季節感を表すワンポイントのインテリアとして使用することができる。
【００１４】
また、印刷物５２の第３の例としては風景や人物、物、動物の写真等が挙げられる。これらの写真データは既成のものを使用しても良いが、ユーザが撮影した風景や家族写真、ペットの写真等をオーダーメイドで印刷しても良い。特に亡くなったペットの写真を印刷物５２とした場合、この装飾ブロック８０を簡易的なペットの墓石として使用することができる。
【００１５】
次に、本考案に係る装飾ブロック８０の製造方法の例を簡単に説明する。先ず、セメント、骨材、水をコンクリートミキサーに入れ決められた練り混ぜ時間により混練する。尚、骨材としては軽石もしくは軽石砂を用いることが好ましい。この際、骨材としての軽石、軽石砂は表面水率が７％以下のものを使用することが好ましい。また、これらセメント、骨材、水の配合比は作製するブロック５０によって異なるものの、概ねセメントが１２％〜１５％程度、骨材（軽石、軽石砂）が８０％〜８２％、水が５％〜６％程度とすることが好ましい。
【００１６】
次に、このゼロスランプのコンクリートを所定の型枠内に投入し、振動を加えながら約０．２Ｋｇｆ／ｃｍ２の圧力で所定の時間加圧する。尚、加圧時間はブロック５０の形状、寸法等によっても異なるが、概ね１３秒〜１５秒程度である。次に、加圧後のブロック５０を脱枠して養生する。このときのブロック５０の養生は、例えば２０℃／ｈｒ以下の比較的ゆっくりとした昇温速度で約５５℃〜６０℃にまで加熱し、この温度で４時間〜５時間保持することで行う。尚、このときの養生温度及び保持時間もブロック５０によって若干前後する。
【００１７】
次に、印刷物５２を形成するブロック５０の乾燥を行う。この乾燥は例えば１００℃〜１１０℃の温度で２４時間以上、絶乾状態となるまで行う。次に、ブロック５０を常温まで放冷する。次に、乾燥したブロック５０を印刷機の所定の位置にセットする。また、形成する印刷物５２のデータを印刷機に入力する。尚、本考案に用いる印刷機は、紫外線硬化インクをインクジェット方式で噴射した後、紫外線を照射して定着させる周知のＵＶインクジェット印刷機を用いることが好ましい。
【００１８】
次に、印刷機による印刷動作をスタートさせる。これにより、印刷機は入力されたデータに基づいて所定の色の紫外線硬化インクのドットをブロック５０の表面に噴射して塗布する。次いで、紫外線を照射して塗布された紫外線硬化インクを硬化し、ブロック５０の表面に定着させる。ここで、紫外線硬化インクは紫外線硬化樹脂を含有し通常のインクよりも粘度が高い。よって、ゼロスランプのコンクリートの表面に直接塗布しても容易には吸収されず、直後に紫外線を照射することで硬化、定着してブロック５０の表面に印刷物５２を形成することができる。また、耐光性を備えているため、屋外で使用した場合でも日光による退色が生じにくい。そして、上記の印刷動作によりブロック５０の表面に印刷物５２が形成され、装飾ブロック８０が完成する。尚、印刷物５２の形成はブロック５０の一面のみに限定されず、両面に行っても良いし、３面、４面、５面、６面全てに行っても良い。
【００１９】
また、複数の装飾ブロック８０で一つの印刷物５２を構成する場合、所定の個数のブロック５０を印刷機に隙間なく並べ、印刷機による印刷動作をスタートさせる。これにより、印刷機は入力されたデータに基づいて所定の色の紫外線硬化インクのドットを配列したブロック５０に連続して噴射し塗布する。次いで、紫外線を照射して塗布された紫外線硬化インクを硬化し定着させる。これにより、配列したブロック５０に全体として一つの印刷物５２が形成される。そして、ユーザがこれらの一連の装飾ブロック８０を目的の場所に配列することで、複数の装飾ブロック８０で構成された一つの印刷物５２を形成することができる。この構成では、ブロック単体よりも大きな印刷物５２を形成できるため、例えば風景写真等では大きく迫力のある印刷物５２を表示することができる。
【００２０】
以上のように、本考案に係る装飾ブロック８０はブロック５０単体もしくは少数のブロック５０で印刷物５２を形成する。このため、単体もしくは少数で優れた装飾性もしくはメッセージ性を有することができる。これにより、ユーザが装飾ブロック８０を単体もしくは少数で目的の場所に置くことで、他者に対してユーザの意図するメッセージ等を簡単に伝達することができる。また、季節イベントを示唆する印刷物５２の装飾ブロック８０を目的の場所に置くことで、季節感を感じさせるワンポイントのインテリアとして使用することができる。
【００２１】
また、本考案に係る装飾ブロック８０はゼロスランプのコンクリートで形成するため、個人ユーザが抵抗なく購入でき、且つレイアウト変更の際にも簡単に移動することができる。
【００２２】
さらに、本考案に係る装飾ブロック８０はＵＶインクジェット印刷機を用いるため、画像データをそのまま印刷物５２として形成することができる。これにより、極めて容易に印刷物５２の変更を行うことができる。また、オーダーメイドの印刷物５２にも対応することができる。このため、例えば亡くなったペットの写真を印刷物５２として形成することで、この装飾ブロック８０を簡易的なペットの墓石として使用することができる。
【００２３】
尚、前述したように本例で示した装飾ブロック８０の形状、寸法及び印刷物５２は一例であるから、上記の例に限定されるわけでは無く、本考案は本考案の要旨を逸脱しない範囲で変更して実施することが可能である。
【符号の説明】
【００２４】
５０    ブロック
５２    印刷物
８０    装飾ブロック
【図１】
0003209575.tif 000003
【図２】
0003209575.tif 000004
【図３】
0003209575.tif 000005
【手続補正書】
【提出日】平成29年1月30日(2017.1.30)
【手続補正１】
【補正対象書類名】実用新案登録請求の範囲
【補正対象項目名】全文
【補正方法】変更
【補正の内容】
【実用新案登録請求の範囲】
【請求項１】
ゼロスランプのコンクリートで製造したブロックの表面にインクジェット印刷により印刷物を形成したことを特徴とする装飾ブロック。
【請求項２】
ブロックが、レンガブロック、インターロッキングブロック、平板ブロック、花壇の境界となるガーデンブロック、組積用コンクリートブロックのいずれか１つであることを特徴とする請求項１記載の装飾ブロック。
【請求項３】
印刷物が、メッセージや注意事項、順路を示唆する絵柄、写真、図記号、文字のいずれか１つを含むことを特徴とする請求項１または請求項２に記載の装飾ブロック。
【請求項４】
印刷物が、季節イベントを示唆する絵柄、写真、図記号、文字のいずれか１つを含むことを特徴とする請求項１または請求項２に記載の装飾ブロック。
【請求項５】
印刷物が、風景、人物もしくはペットの写真であることを特徴とする請求項１または請求項２に記載の装飾ブロック。
【手続補正２】
【補正対象書類名】明細書
【補正対象項目名】０００７
【補正方法】変更
【補正の内容】
【０００７】
本考案は、
（１）ゼロスランプのコンクリートで製造したブロック５０の表面にインクジェット印刷により印刷物５２を形成したことを特徴とする装飾ブロック８０を提供することにより、上記課題を解決する。
（２）ブロック５０が、レンガブロック、インターロッキングブロック、平板ブロック、花壇の境界となるガーデンブロック、組積用コンクリートブロックのいずれか１つであることを特徴とする上記（１）記載の装飾ブロック８０を提供することにより、上記課題を解決する。
（３）印刷物５２が、メッセージや注意事項、順路を示唆する絵柄、写真、図記号、文字のいずれか１つを含むことを特徴とする上記（１）または（２）に記載の装飾ブロック８０を提供することにより、上記課題を解決する。
（４）印刷物５２が、季節イベントを示唆する絵柄、写真、図記号、文字のいずれか１つを含むことを特徴とする上記（１）または（２）に記載の装飾ブロック８０を提供することにより、上記課題を解決する。
（５）印刷物５２が、風景、人物もしくはペットの写真であることを特徴とする上記（１）または（２）に記載の装飾ブロック８０を提供することにより、上記課題を解決する。